(57)【要約】【課題】デジタル化により半導体技術及び回路技術を適用する。【解決手段】送受信モジュール１２ｎにおいて、アンテナ素子１１ｎとの間にマイクロ波のアナログ信号インターフェースを持たせ、電源以外の信号インターフェースを全てデジタル信号インターフェースとし、半導体にてワンチップ化する。内部の基準信号は、クロック生成部Ａ１にて、高周波のデジタルクロック信号を逓倍して基準となるローカル信号を生成し、且つ同時に低周波のデジタルクロック信号により同期動作化が可能な基準信号を生成する。上記クロック生成部Ａ１において、内部の逓倍数もしくは高周波信号のデジタルクロック信号を制御することで、基準ローカル信号の周波数を変化させることが可能である。且つ、送信波形生成部Ａ２で生成する送信デジタル信号の周波数を変化させることにより、送受信ともに任意の周波数において対応が可能となる。【選択図】      図１
2010239614.tif 000002
【特許請求の範囲】
【請求項１】
複数のアンテナ素子と、
前記複数のアンテナ素子それぞれに接続され、前記アンテナ素子に送信マイクロ波信号を供給する機能と、前記アンテナ素子からのマイクロ波信号を受信する機能を有する複数のマイクロ波送受信モジュールと、
前記複数のマイクロ波送受信モジュールから出力される受信信号を合成するビーム形成器と、
前記複数のマイクロ波送受信モジュール及びビーム形成器それぞれに対する制御信号を生成するアンテナ制御部とを具備し、
前記マイクロ波送受信モジュールは、
前記アンテナ素子との間でマイクロ波のアナログ信号を入出力するためのインターフェースを持ち、且つ、電源以外の信号インターフェースが全てデジタル信号インターフェースであり、半導体にてワンチップ化してなるアレイアンテナ装置。
【請求項２】
前記マイクロ波送受信モジュールは、
前記アンテナ素子毎に異なる送信波形を生成可能な波形生成部と、
高周波のデジタルクロック信号を逓倍して基準ローカル信号を生成し、且つ同時に低周波のデジタルクロック信号により同期化用の基準信号を生成するクロック生成部と、
前記波形生成部で生成されたデジタル送信信号をアナログ信号に変換するデジタル信号−アナログ信号（以下単にＤＡ)変換部と、
前記クロック生成部にて生成される高周波の基準ローカル信号を前記ＤＡ変換部にて生成されるアナログ送信信号に混合してマイクロ波送信信号を生成する送信信号用ミキサと、
前記ミキサにて周波数変換された送信信号を電力増幅して前記アンテナ素子に送出する送信電力増幅器と、
前記アンテナ素子から入力される受信マイクロ波信号を低熱雑音増幅する受信電力増幅器と、
前記受信電力増幅器から出力されるマイクロ波受信信号に前記クロック生成部にて生成される基準ローカル信号を混合して受信中間周波信号を生成する受信信号用ミキサと、
前記受信信号用ミキサにて生成された受信中間周波信号を、前記クロック生成部にて生成される基準ローカル信号によってアナログ信号からデジタル信号に変換するアナログ信号−デジタル信号（以下単にＡＤ）変換部と、
少なくとも前記デジタル波形生成部及びクロック生成部を外部からの指令に応じて制御するモジュール制御部と
を備える請求項１記載のアレイアンテナ装置。
【請求項３】
前記モジュール制御部は、前記クロック生成部の内部の逓倍数もしくは高周波のデジタルクロック信号の周波数を制御することで、生成する基準ローカル信号の周波数を変化させ、且つ、前記送信波形生成部で生成するデジタル送信信号の周波数を変化させることで、送受信ともに任意の周波数において対応させる請求項２記載のアレイアンテナ装置。
【請求項４】
前記マイクロ波送受信モジュールは、前記ＡＤ変換部の出力部に、外部に対してデータ通信を行うための信号インターフェース回路部を備える請求項２記載のアレイアンテナ装置。
【請求項５】
前記マイクロ波送受信モジュールは、前記ＡＤ変換部の出力部に、他のマイクロ波送受信モジュールから出力されるデジタル受信信号を取り込んで複素乗算する回路を備える請求項２記載のアレイアンテナ装置。
【請求項６】
前記マイクロ波送受信モジュールは、前記ＡＤ変換部の出力部に、他のマイクロ波送受信モジュールから出力されるデジタル受信信号を取り込んで複素乗算する回路と、外部に対してデータ通信を行うための信号インターフェース回路部とを備えるようにしたことを特徴とする請求項２記載のアレイアンテナ装置。
【請求項７】
複数のアンテナ素子それぞれに接続され、前記アンテナ素子に送信マイクロ波信号を供給し、前記アンテナ素子からのマイクロ波信号を受信するマイクロ波送受信モジュールであって、
前記アンテナ素子毎に異なる送信波形を生成可能な波形生成部と、
高周波のデジタルクロック信号を逓倍して基準ローカル信号を生成し、且つ同時に低周波のデジタルクロック信号により同期化用の基準信号を生成するクロック生成部と、
前記波形生成部で生成されたデジタル送信信号をアナログ信号に変換するデジタル信号−アナログ信号（以下単にＤＡ)変換部と、
前記クロック生成部にて生成される高周波の基準ローカル信号を前記ＤＡ変換部にて生成されるアナログ送信信号に混合してマイクロ波送信信号を生成する送信信号用ミキサと、
前記ミキサにて周波数変換された送信信号を電力増幅して前記アンテナ素子に送出する送信電力増幅器と、
前記アンテナ素子から入力される受信マイクロ波信号を低熱雑音増幅する受信電力増幅器と、
前記受信電力増幅器から出力されるマイクロ波受信信号に前記クロック生成部にて生成される基準ローカル信号を混合して受信中間周波信号を生成する受信信号用ミキサと、
前記受信信号用ミキサにて生成された受信中間周波信号を、前記クロック生成部にて生成される基準ローカル信号によってアナログ信号からデジタル信号に変換するアナログ信号−デジタル信号（以下単にＡＤ）変換部と、
少なくとも前記デジタル波形生成部及びクロック生成部を外部からの指令に応じて制御するモジュール制御部とを備え、
前記アンテナ素子との間でマイクロ波のアナログ信号を入出力するためのインターフェースを持ち、且つ、電源以外の信号インターフェースが全てデジタル信号インターフェースであり、半導体にてワンチップ化してなるマイクロ波送受信モジュール。
【請求項８】
前記モジュール制御部は、前記クロック生成部の内部の逓倍数もしくは高周波のデジタルクロック信号の周波数を制御することで、生成する基準ローカル信号の周波数を変化させ、且つ、前記送信波形生成部で生成するデジタル送信信号の周波数を変化させることで、送受信ともに任意の周波数において対応させることを特徴とする請求項７記載のマイクロ波送受信モジュール。
【請求項９】
前記ＡＤ変換部の出力部には、外部に対してデータ通信を行うための信号インターフェース回路部を備える請求項７記載のマイクロ波送受信モジュール。
【請求項１０】
前記ＡＤ変換部の出力部には、他のマイクロ波送受信モジュールから出力されるデジタル受信信号を取り込んで複素乗算する回路を備える請求項７記載のマイクロ波送受信モジュール。
【請求項１１】
前記ＡＤ変換部の出力部には、他のマイクロ波送受信モジュールから出力されるデジタル受信信号を取り込んで複素乗算する回路と、外部に対してデータ通信を行うための信号インターフェース回路部とを備えるようにしたことを特徴とする請求項７記載のマイクロ波送受信モジュール。
【発明の詳細な説明】
【技術分野】
【０００１】
本発明は、例えばレーダ装置、無線通信機器等に用いられ、マイクロ波帯の高周波信号を送受信するアレイアンテナ装置及びこの装置に用いられるマイクロ波送受信モジュールに係り、特に複数のアンテナ素子の送受信のパターン合成をデジタル合成によって実現する技術に関する。
【背景技術】
【０００２】
レーダ装置、無線通信機器等に用いられ、マイクロ波帯の高周波信号を送受信するアンテナ装置では、高機能化、或いは高性能化のため、フェーズドアレイ化の要求が高まって来ている。
【０００３】
しかしながら、フェーズドアレイアンテナは、多数のアンテナ素子と、各アンテナ素子に接続される多数のマイクロ波送受信モジュールと、それを動作させるための電源や制御回路などが必要となるため、装置構成が複雑で大規模となる。しかも、電力増幅器、移相器やスイッチなどのマイクロ波半導体素子、個々のマイクロ波送受信モジュールと接続されてアレイアンテナのパターン合成を行なうマイクロ波信号分配／合成回路、といった特殊な回路が必要である。このようなことから、小型化、低コスト化が困難であった。
【０００４】
尚、レーダセンサ等に用いられるＲＦ送受信モジュールの集積回路化技術に関しては、例えば特許文献１に記載されている。
【先行技術文献】
【特許文献】
【０００５】
【特許文献１】特開２００７−１５５７４１号公報
【発明の概要】
【発明が解決しようとする課題】
【０００６】
上記のように従来のアレイアンテナ装置では、利用分野の拡大に対応すべく、大幅なコスト低減が要求されている。
【０００７】
本発明は上記の事情を考慮してなされたもので、マイクロ波送受信モジュール、電力合成回路などの高周波回路部分のデジタル化を実現し、これによって全体の小型化及びコスト低減を実現するアレイアンテナ装置とこの装置に用いられるマイクロ波送受信モジュールを提供することを目的とする。
【課題を解決するための手段】
【０００８】
上記目的を達成するために本発明は、複数のアンテナ素子と、前記複数のアンテナ素子それぞれに接続され、前記アンテナ素子に送信マイクロ波信号を供給し、前記アンテナ素子からのマイクロ波信号を受信する複数のマイクロ波送受信モジュールと、前記複数のマイクロ波送受信モジュールから出力される受信信号を合成するビーム形成器と、前記複数のマイクロ波送受信モジュール及びビーム形成器それぞれに対する制御信号を生成するアンテナ制御部とを具備し、前記マイクロ波送受信モジュールは、前記アンテナ素子との間でマイクロ波のアナログ信号を入出力するためのインターフェースを持ち、且つ、電源以外の信号インターフェースが全てデジタル信号インターフェースであり、半導体にてワンチップ化してなる構成とする。
【０００９】
また、本発明に係るマイクロ波送受信モジュールは、複数のアンテナ素子それぞれに接続され、前記アンテナ素子に送信マイクロ波信号を供給し、前記アンテナ素子からのマイクロ波信号を受信するマイクロ波送受信モジュールであって、前記アンテナ素子毎に異なる送信波形を生成可能な波形生成部と、外部から供給される高周波のデジタルクロック信号を逓倍して基準ローカル信号を生成し、且つ同時に外部より供給される低周波のデジタルクロック信号により同期化用の基準信号を生成するクロック生成部と、前記波形生成部で生成されたデジタル送信信号をアナログ信号に変換するデジタル信号−アナログ信号（以下単にＤＡ)変換部と、前記クロック生成部にて生成される高周波の基準ローカル信号を前記ＤＡ変換部にて生成されるアナログ送信信号に混合してマイクロ波送信信号を生成する送信信号用ミキサと、前記ミキサにて周波数変換された送信信号を電力増幅して前記アンテナ素子に送出する送信電力増幅器と、前記アンテナ素子から入力される受信マイクロ波信号を低熱雑音増幅する受信電力増幅器と、前記受信電力増幅器から出力されるマイクロ波受信信号に前記クロック生成部にて生成される基準ローカル信号を混合して受信中間周波信号を生成する受信信号用ミキサと、前記受信信号用ミキサにて生成された受信中間周波信号を、前記クロック生成部にて生成される基準ローカル信号によってアナログ信号からデジタル信号に変換するアナログ信号−デジタル信号（以下単にＡＤ）変換部と、少なくとも前記デジタル波形生成部及びクロック生成部を外部からの指令に応じて制御するモジュール制御部とを備え、前記アンテナ素子との間でマイクロ波のアナログ信号を入出力するためのインターフェースを持ち、且つ、電源以外の信号インターフェースが全てデジタル信号インターフェースであり、半導体にてワンチップ化してなる構成とする。
【発明の効果】
【００１０】
以上のように構成したことにより、マイクロ波送受信モジュール、電力合成回路などの高周波回路部分のデジタル化を実現し、これによって全体の小型化及びコスト低減を実現するアレイアンテナ装置とこの装置に用いられるマイクロ波送受信モジュールを提供することができる。
【図面の簡単な説明】
【００１１】
【図１】本発明の一実施形態として、マイクロ波アレイアンテナ装置の構成を示すブロック図。
【図２】上記マイクロ波アレイアンテナ装置の制御系の構成を示すブロック図。
【発明を実施するための形態】
【００１２】
以下、図面を参照して本発明の実施の形態を詳細に説明する。
【００１３】
図１は本発明の一実施形態として、マイクロ波アレイアンテナ装置の構成を示すブロック図である。ここでは、高周波のデジタルクロック信号をHi＝600MHz，Lo＝10MHzとし、9.6GHz帯の送信信号を生成、出力する場合について説明する。
【００１４】
図１において、…，１１ｉ，１１ｉ＋１，…（以下、１１ｎ）はアンテナ素子であり、各アンテナ素子１１ｎはそれぞれ対応して設けられた送受信モジュール…，１２ｉ，１２ｉ＋１，…（以下、１２ｎ）に接続され、当該モジュール１２ｎを通じて送受信信号を入出力する。各送受信モジュール１２ｎは、信号源１５から送られてくるデジタルクロック信号を用いて送信信号を生成し、アンテナ素子１１ｎからの受信信号の振幅・位相特性をウェイト制御することでビーム形成を行って、その制御を受けた受信信号をビーム形成器１３に出力する。
【００１５】
上記送受信モジュール１２ｎにおいて、クロック生成部Ａ１は、上記信号源１５から与えられるデジタルクロック信号（Hi＝600MHz，Lo＝10MHz）からベースバンド周波数150MHzの基準信号と送信周波数9600MHzの基準ローカル信号を生成する。波形生成部Ａ２は、クロック生成部Ａ１で生成されるベースバンド周波数150MHzの基準信号から送信波形のデジタル信号を生成する。ＤＡ変換部Ａ３は、波形生成部Ａ２で生成される送信波形のデジタル信号をアナログ信号に変換する。送信信号用ミキサＡ４は、ＤＡ変換部Ａ３から出力されるベースバンドのアナログ送信信号に送信周波数の基準ローカル信号を混合してアップコンバートする。フィルタＡ５は、アップコンバート時に発生する不要周波数成分を除去する。送信電力増幅器Ａ６はフィルタＡ５から出力される送信信号を電力増幅してアンテナ素子１１ｎに出力する。
【００１６】
また、受信電力増幅器Ａ７は、アンテナ素子１１ｎの受信出力を低雑音増幅する。受信信号用ミキサＡ８は、受信電力増幅器Ａ７の出力に送信周波数の基準ローカル信号を混合してＩＦ（中間周波数）帯に変換する。ＡＤ変換部Ａ９は、ミキサＡ８の出力をベースバンドのデジタル信号に変換する。信号インターフェース回路部Ａ１０は、ベースバンドのデジタル信号に変換された受信信号を所定の形式に変換してビーム形成器１３に出力する。モジュール制御部Ａ１１は、上記各処理部Ａ１〜Ａ１０それぞれのタイミング、パラメータをアンテナ制御部１４からの制御信号に応じて適宜制御する。
【００１７】
上記構成による送受信モジュール１２ｎの波形生成部Ａ２で生成された送信波形信号と信号インターフェース回路部Ａ１０で得られた受信信号はビーム形成器１３に送られる。このビーム形成器１３は各送受信モジュール１２ｎからの信号の振幅・位相をモニタし、パラメータを調整して送信ビーム、受信ビームそれぞれの広がり、角度を調整する。
【００１８】
上記構成において、以下に本発明の特徴部分について説明する。
【００１９】
まず、送信における信号の原波形は波形生成部Ａ２にて生成される。送信信号の原波形は、例えばレーダなどにおいて、送信パルス内で周波数掃引を行なうチャープ波形などがこれに当たる。波形生成部Ａ２では、先ずこの原波形Ｆ0を最初に生成する。
【００２０】
次に、一般的な２次元素子配列アレイアンテナの場合を想定して説明する。
【００２１】
この場合、各アンテナ素子の座標を（Ｘm,n ，Ｙm,n ，Ｚm,n ）、方位方向のビームの指向角をθAZ 、仰角方向のビーム指向角をθEL とし、周波数をｆc から求められる位相遅延量Ｐm,n を原波形に加算し、必要に応じて振幅変調Ａm,nを加えることでデジタルの送信信号が生成される。
【００２２】
ここで、アンテナ素子毎の位相遅延量Ｐm,n は、一般的な２次元素子配列アレイアンテナの場合では、次の(1)式で得ることができる。  
【数１】
2010239614.tif 000003
【００２３】
なお、Ｖc   ：光速  
Ｘm,n ：各アンテナ素子のＸ軸座標  
Ｙm,n ：各アンテナ素子のＹ軸座標  
θm,n ：方位方向ビーム走査角  
θm,n ：仰角方向ビーム走査角  
である。
【００２４】
さらに、波形生成部Ａ２にて生成されたデジタルの送信信号はＤＡ変換部Ａ３にてアナログ信号に変換されて送信信号用ミキサＡ４に送られる。一方、クロック生成部Ａ１では、信号源１５から供給される600MHzの高域デジタルクロック信号及び10MHzの低域デジタルクロック信号から、その10MHzの低域デジタルクロック信号に同期した9.6GHzのローカル信号を生成し、送信信号用ミキサＡ４へ出力する。送信信号用ミキサＡ４では、ＤＡ変換部Ａ３より送られてくるアナログの送信信号と、クロック生成部Ａ１にて生成される9.6GHzのローカル信号とを混合することで送信マイクロ波信号を生成する。このようにして生成された送信マイクロ波信号は、フィルタＡ５によって不要波成分を除去し、電力増幅器Ａ６によって電力増幅された後、アンテナ素子１１ｎに送られて空間に送出される。
【００２５】
尚、前述の位相遅延量Ｐm,n をアンテナ素子毎に、且つ時間ごとに可変制御することによって、電子的にビームを走査することのできるフェーズドアレイアンテナとして使用することが可能となる。
【００２６】
次に、信号源１５で発生される600MHzのデジタルクロック信号を入力して、9.6GHz帯の受信動作を行う場合について説明する。
【００２７】
アンテナ素子１１ｎから入力された受信マイクロ波信号は、受信側の低雑音増幅器Ａ７にて低熱雑音増幅されて受信信号用ミキサＡ８に入力される。この受信用ミキサＡ８では、送信時と同様にクロック生成部Ａ１にて生成された9.6GHzのローカル信号により、受信マイクロ波信号を150MHz程度の受信ＩＦ信号に変換する。受信用ミキサＡ７にて受信ＩＦ信号に変換された信号は、ＡＤ変換部Ａ８にてデジタル信号に変換されて、ビーム形成器１３へ出力される。
【００２８】
上記構成による送受信モジュール１２ｎにおいて、本発明では、アンテナ素子１１ｎとの間にマイクロ波のアナログ信号インターフェースを持たせ、電源以外の信号インターフェースを全てデジタル信号インターフェースとし、半導体にてワンチップ化する。
【００２９】
また、送受信モジュール１２ｎにおいて、内部の基準信号は、クロック生成部Ａ１にて、外部から供給される高周波のデジタルクロック信号を逓倍して基準となるローカル信号を生成し、且つ同時に外部より供給される低周波のデジタルクロック信号により同期動作化が可能な基準信号を生成する。
【００３０】
ここで、上記クロック生成部Ａ１において、内部の逓倍数もしくは外部より供給される高周波のデジタルクロック信号の周波数を制御することで、生成する基準ローカル信号の周波数を変化させることが可能である。且つ、送信波形生成部Ａ２で生成する送信デジタル信号の周波数を変化させることにより、送受信ともに任意の周波数において対応が可能となる。
【００３１】
尚、上記送受信モジュールにおいて、１２ｎにおいて、アナログ信号からデジタル信号に変換するＡＤ変換部Ａ３の出力部に、外部に対して高速大容量のデータ通信を行うためのインターフェース回路部Ａ１０を備えるようにすると、マイクロ波通信機器にも利用することが可能となる。
【００３２】
また、上記送受信モジュール１２ｎにおいて、ＡＤ変換部Ａ８の出力部に、他の送受信モジュールから出力される受信デジタル信号を取り込んで複素乗算する回路を設けるようにすれば、各アンテナ素子出力を相互に調整してアクティブなフェーズドアレイアンテナが実現されると予想される。
【００３３】
以上のように、本発明の構成によれば、小型・軽量化で安価なアクティブフェーズドアレイアンテナを実現することができる。特に、レーダや通信機器を始めとした、様々な電波通信機器において、高機能で高性能なシステムを提供することができる。
【００３４】
具体例として、パルスレーダ装置のアレイアンテナ装置に本発明を適用した場合の糸よりの流れを図２に示す。図２において、アンテナ制御部１４では、レーダ動作諸元として周波数ａ１、パルス条件ａ２、ビーム指向角ａ３を決定する。周波数ａ１では中心周波数ａ１１、占有帯域幅ａ１２を設定する。パルス条件ａ２では、基準タイミングａ２１、送信パルス幅ａ２２、繰り返し周期ａ２３を設定する。そして、占有帯域幅ａ１２、基準タイミングａ２１及び送信パルス幅ａ２２の設定値からレーダ・キャリア波信号定数（ε-jf(t) ）ａ４が生成される。一方、ビーム指向角ａ３が設定されると、そのビーム指向角ａ３からモジュール制御の位相演算に要する情報ａ５としてビーム走査角θAZ,EL 、素子座標（ｍ，ｎ）、波長定数ｋ(f/Vc)を求め、上記占有帯域幅ａ１２及びレーダ・キャリア波信号定数ａ４と共に送受信モジュール１２ｎの制御部Ａ１１に送られる。
【００３５】
制御部Ａ１１において、アンテナ制御部１４から供給される占有帯域幅ａ１２は開口面補正係数演算回路ｂ１に供給され、レーダ・キャリア波信号定数ａ４はモジュール位相変調定数生成回路ｂ２に送られ、モジュール制御位相演算情報ａ５は上記開口面補正係数演算回路ｂ１と共にモジュール制御位相演算回路ｂ３に送られる。
【００３６】
上記開口面補正係数演算回路ｂ１は、占有帯域幅ａ１２とモジュール制御位相演算情報ａ５とからアンテナ開口面の補正係数Ａ・ｆ(m,n)を求める。一方、モジュール制御位相演算回路ｂ３は、クロック生成部Ａ１の逓倍／分周回路ｃ１から与えられるデジタルクロック信号に基づいてモジュール制御位相演算情報ａ５からモジュール制御位相ε-jKm,n を求める。
【００３７】
上記モジュール位相変調定数生成回路ｂ２は、開口面補正係数Ａ・ｆ(m,n)、モジュール制御位相ε-jKm,n 及びレーダ・キャリア波信号定数ε-jf(t) からモジュール位相変調定数Ａ・ｆ(m,n)・ε-jKm,n ・ε-jf(t) を生成する。
【００３８】
一方、アンテナ制御部１４から供給される繰り返し周期ａ２３は、送受信タイミング生成回路ｂ４に供給される。この送受信タイミング生成回路ｂ４は、送信パルスの繰り返し周期ａ２３から送受信の切換を制御するタイミング信号を生成する。この送受信タイミング生成回路ｂ４で生成されたタイミング信号は、クロック生成部Ａ１の送受切替回路ｃ２に供給される。
【００３９】
上記クロック生成部Ａ１では、逓倍／分周回路ｃ１において、信号源１５から与えられる低域デジタルクロック信号（10MHz）と高域デジタルクロック信号（600MHz）を取り込み、両クロック信号を逓倍／分周して9600MHzと150MHzのクロック信号を生成する。ここで生成されたクロック信号は、送受切り替え回路ｃ２によりレーダパルスの送受信それぞれのタイミングで選択的に導出され、150MHzのクロック信号は波形生成部Ａ２にサンプリングクロックとしてＤＡ変換部Ａ３及びＡＤ変換部Ａ９に供給され、9600MHzのクロック信号はローカル信号としてミキサＡ４，Ａ８に送られる。
【００４０】
一方、上記モジュール位相変調定数生成部ｂ２で生成されモジュール位相変調定数は波形生成部Ａ２に送られる。この波形生成部Ａ２は、150MHzのクロック信号によるステップでモジュール位相変調定数に基づいてモジュール位相変調信号を生成する。ここで得られた変調信号はＤＡ変換部Ａ３に送られ、１５０MHzのクロック信号に基づいてアナログ波形に変換されてミキサＡ４に送られる。
【００４１】
上記構成によれば、電源以外の信号インターフェース、すなわち制御部Ａ１１を全てデジタル信号インターフェースとすることになるので、半導体にてワンチップ化することが可能となる。
【００４２】
また、モジュール内部では、クロック生成部Ａ１にて、高周波のデジタルクロック信号を逓倍して基準となるローカル信号を生成し、且つ同時に低周波のデジタルクロック信号により同期動作化が可能な基準信号を生成することができる。
【００４３】
ここで、上記クロック生成部Ａ１において、内部の逓倍数もしくは高周波のデジタルクロック信号の周波数を制御することで、生成する基準ローカル信号の周波数を変化させることが可能である。且つ、送信波形生成部Ａ２で生成する送信デジタル信号の周波数を変化させることにより、送受信ともに任意の周波数において対応が可能となる。
【００４４】
その他、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４５】
１１ｎ…アンテナ素子、１２ｎ…送受信モジュール、１３…ビーム形成器、１４…アンテナ制御部、１５…信号源、Ａ１…クロック生成部、Ａ２…波形生成部、Ａ３…ＤＡ変換部、Ａ４…送信用ミキサ、Ａ５…電力増幅器、Ａ６…低雑音増幅器、Ａ７…受信用ミキサ、Ａ８…ＡＤ変換部、Ａ９…モジュール制御部、ａ１…周波数、ａ２…パルス条件、ａ３…ビーム指向角、ａ４…レーダ・キャリア波信号定数、ａ５…モジュール制御の位相演算に要する情報、ａ１１…中心周波数、ａ１２…占有帯域幅、ａ２１…基準タイミング、ａ２２…送信パルス幅、ａ２３…繰り返し周期、ｂ１…開口面補正係数演算回路、ｂ２…モジュール位相変調定数生成回路、ｂ３…モジュール制御位相演算回路、ｂ４…送受信タイミング生成回路、ｃ１…逓倍／分周回路、ｃ２…送受切り替え回路。
【図１】
2010239614.tif 000004
【図２】
2010239614.tif 000005